(57)【要約】【課題】  壁面等にスピーカーを取り付ける場合において、壁面への取付作業が容易で、かつ、様々な壁面等の厚みや開口の開口寸法に対応が可能で、さらに、金型費用を含めたコストが安価であるスピーカー取付具および壁面取付スピーカーを提供する。【解決手段】  本発明のスピーカー取付具は、壁面等にスピーカーを取り付けるスピーカー取付具であって、壁面等の表面側に圧着する第１締結部材と、壁面等の裏面側に圧着する第２締結部材を備え、第１締結部材および第２締結部材がそれぞれ、壁面等に対応する圧着平板部と、第１締結部材および第２締結部材を締結する締結手段が設けられる締結平板部と、圧着平板部および締結平板部とを連結し、第１締結部材および第２締結部材とが接触する平面を規定する連結平板部とを備え、第１締結部材の締結平板部は、スピーカーを固定するスピーカー固定手段を備える。【選択図】  図２
2005080002.tif 000002
【特許請求の範囲】
【請求項１】
壁面にスピーカーを取り付けるスピーカー取付具であって、
該壁面の表面側に圧着する第１締結部材と、該壁面の裏面側に圧着する第２締結部材とを備え、
該第１締結部材および該第２締結部材がそれぞれ、
該壁面に対応する圧着平板部と、
該第１締結部材および該第２締結部材を締結する締結手段が設けられる締結平板部と、
該圧着平板部および該締結平板部とを連結し、該第１締結部材および該第２締結部材とが接触する平面を規定する連結平板部と、を備え、
該第１締結部材の締結平板部が、該スピーカーを固定するスピーカー固定手段を備える
スピーカー取付具。
【請求項２】
請求項１に記載のスピーカー取付具であって、
前記第１締結部材および第２締結部材の締結手段が、
ネジと、該第１締結部材の締結平板部に設けられ該ネジが貫通する貫通穴と、
該第２締結部材の締結平板部に設けられ該ネジに対応するタップと、から構成されるスピーカー取付具。
【請求項３】
請求項２に記載のスピーカー取付具であって、
前記第１締結部材および第２締結部材の前記締結手段が、
前記スピーカー固定手段を兼用するスピーカー取付具。
【請求項４】
請求項１から３のそれぞれに記載のスピーカー取付具であって、
前記第１締結部材および第２締結部材が、
金属または樹脂の押し出し成形品を切断した取付レール部材から構成される
スピーカー取付具。
【請求項５】
請求項１から４のそれぞれに記載のスピーカー取付具により前記壁面に取り付けられる壁面取付スピーカーであって、
該スピーカーのスピーカーバッフルが、
前記第１締結部材の締結平板部に設けられるスピーカー固定手段に対応したスピーカー固定部を備える壁面取付スピーカー。
【発明の詳細な説明】
【技術分野】
【０００１】
本発明は、壁面または天井面にスピーカーを取り付けるスピーカー取付具、および、取付られる壁面取付スピーカーに関する。
【背景技術】
【０００２】
壁面または天井面（以下、壁面等という。）に音声を再生するためのスピーカーを取り付ける場合において、開口を設けてスピーカーを埋め込むように取り付けることがある。ここで多くの場合には、専用のスピーカー取付具を介して壁面等にスピーカーを取り付ける。
【０００３】
従来には、スピーカー及び開口寸法に合わせた金属または樹脂の成型品を設け、スピーカーを取り付けるスピーカー取付具としていた。これらの場合において、これらのスピーカー取付具は、スピーカーを壁面等に取り付ける作業が複雑であったり、多くの取付部材が必要であったりしたが、例えば、これらの取付部材を専用金型で成型した取付部材とすることにより、取付作業の負荷軽減を図り、壁面等の前面側だけから取付作業ができるようにしていた。
【０００４】
【特許文献１】特開平５−７３８９号公報  （第１図）
【０００５】
しかしながら、従来技術のスピーカー取付具においては、部品ごとに大きな金型が必要でコストが高価であったり、また、様々な開口の開口寸法に対応するためには、壁面等の厚みや開口寸法に応じた別の金型が必要になったりするという問題がある。加えて、これらのスピーカー取付具を使用する壁面取付スピーカーにおいては、スピーカーのバッフルまたはキャビネットも専用金型となり、コストが高価になるという問題がある。
【発明の開示】
【発明が解決しようとする課題】
【０００６】
本発明は、上記の従来技術が有する問題を解決するためになされたものであり、その目的は、代表的には、壁面等にスピーカーを取り付ける場合において、壁面への取付作業が容易で、かつ、様々な壁面等の厚みや開口の開口寸法に対応が可能で、さらに、金型費用を含めたコストが安価であるスピーカー取付具および壁面取付スピーカーを提供することにある。
【課題を解決するための手段】
【０００７】
本発明のスピーカー取付具は、壁面等にスピーカーを取り付けるスピーカー取付具であって、壁面等の表面側に圧着する第１締結部材と、壁面等の裏面側に圧着する第２締結部材を備え、第１締結部材および第２締結部材がそれぞれ、壁面等に対応する圧着平板部と、第１締結部材および第２締結部材を締結する締結手段が設けられる締結平板部と、圧着平板部および締結平板部とを連結し、第１締結部材および第２締結部材とが接触する平面を規定する連結平板部とを備え、第１締結部材の締結平板部が、スピーカーを固定するスピーカー固定手段を備える。
【０００８】
以下、本発明の作用について説明する。
【０００９】
本発明のスピーカー取付具は、壁面の表面側に圧着する第１締結部材と、壁面の裏面側に圧着する第２締結部材を備え、これらが一組になっている。スピーカーを取り付ける場合には、本発明のスピーカー取付具の組を必要に応じて複数使用する。第１締結部材および第２締結部材は、それぞれ、壁面等に対応する圧着平板部を備えている。つまり、本発明のスピーカー取付具は、第１締結部材および第２締結部材の圧着平板部が壁面等を前後から圧着して挟み込むことで壁面に固定される。さらに、第１締結部材および第２締結部材は、第１締結部材および第２締結部材を締結する締結手段が設けられる締結平板部を備える。さらに、第１締結部材の締結平板部は、スピーカーを固定するスピーカー固定手段を備える。締結手段は、壁面等の厚みに応じて第１締結部材および第２締結部材を締結するので、第１締結部材に設けられたスピーカー固定手段を介して壁面取付スピーカーを取り付けることができる。さらに、第１締結部材および第２締結部材は、圧着平板部および締結平板部とを連結し、第１締結部材および第２締結部材とが接触する平面を規定する連結平板部とをそれぞれに備えている。つまり、これらの第１締結部材および第２締結部材の連結平板部同士が互いに接触してスライドすることができるので、壁面等の厚みに応じて圧着平板部を移動させることができる。したがって、本発明のスピーカー取付具は、様々な壁面等の厚みに対応することが可能で、かつ、容易に壁面への取付が可能で、取付作業の負荷軽減も図ることができる。
【００１０】
好ましい実施形態においては、本発明のスピーカー取付具は、第１締結部材および第２締結部材の締結手段が、ネジと、第１締結部材の締結平板部に設けられネジが貫通する貫通穴と、第２締結部材の締結平板部に設けられネジに対応するタップと、から構成される。したがって、締結手段のネジをまわして締めていくにつれて、第１締結部材および第２締結部材の圧着平板部が移動して壁面を圧着して挟み込むので、壁面への取付が非常に容易である。
【００１１】
さらに好ましい実施形態においては、本発明のスピーカー取付具は、第１締結部材および第２締結部材の締結手段が、スピーカー固定手段を兼用する。したがって、スピーカー取付具の締結手段のネジを締結すると同時にスピーカーを固定することができるので、取付作業の効率を上げることができ、壁面への取付が非常に容易である。
【００１２】
好ましい実施形態においては、本発明のスピーカー取付具は、第１締結部材および第２締結部材が、金属または樹脂の押し出し成形品を切断した取付レール部材から構成される。したがって、本発明のスピーカー取付具は、金型費用を含めたコストを安価にすることができ、さらに、様々な開口の開口寸法に対応が可能である。
【００１３】
さらに、本発明の壁面取付スピーカーは、本発明のスピーカー取付具により壁面に取り付けられる壁面取付スピーカーであって、スピーカーのスピーカーバッフルが、第１締結部材の締結平板部に設けられるスピーカー固定手段に対応したスピーカー固定部を備える。したがって、スピーカーのバッフルまたはキャビネットに新たにスピーカー固定部を設けるのみでよく、コストを安価にすることができる。
【発明の効果】
【００１４】
本発明のスピーカー取付具および壁面取付スピーカーは、代表的には、壁面等にスピーカーを取り付ける場合において、壁面への取付作業が容易で、かつ、様々な壁面等の厚みや開口の開口寸法に対応が可能で、さらに、金型費用を含めたコストを安価にすることが可能である。
【発明を実施するための最良の形態】
【００１５】
以下、本発明の好ましい実施形態によるスピーカー取付具および壁面取付スピーカーについて説明するが、本発明はこれらの実施形態には限定されない。
【００１６】
本発明のスピーカー取付具および壁面取付スピーカーでは、壁面等にスピーカーを取り付ける場合において、壁面への取付作業を容易とし、かつ、様々な壁面等の厚みや開口の開口寸法に対応が可能とし、さらに、金型費用を含めたコストを安価とする目的を、壁面の表面側に圧着する第１締結部材と、壁面の裏面側に圧着する第２締結部材を一組としたスピーカー取付具により実現した。
【実施例１】
【００１７】
図１および図２は、本発明の好ましい実施形態によるスピーカー取付具および壁面取付スピーカーについて説明する図である。図１は、壁面１０に設けられた開口１０ａ（破線で表示）に本発明のスピーカー取付具を介してスピーカー１およびスピーカーバッフル２を取り付けた場合の正面図である。図２は、図１におけるＡ〜Ａ’ 平面断面図である。壁面１０の背後には裏壁面９があり、スピーカー１およびスピーカーバッフル２は、壁面１０の開口１０ａおよび裏壁面９により規定される空間に配置される。本発明のスピーカー取付具は、第１締結部材１１と第２締結部材１２が一組になっていて、スピーカー１およびスピーカーバッフル２を壁面１０に取り付ける。ここでは、２組のスピーカー取付具が、スピーカーバッフル２の左右に使用されている。スピーカーバッフル２は、スピーカー１の音響特性を確保するためのエンクロージャー３を備えている。
【００１８】
スピーカー取付具の第１締結部材１１は、圧着平板部１１ａと、連結平板部１１ｂと、締結平板部１１ｃと、スピーカー固定平板部１１ｄとを備えている。同様に、第２締結部材１２は、圧着平板部１２ａと、連結平板部１２ｂと、締結平板部１２ｃと、スピーカー固定平板部１２ｄとを備えている。ここで、第１締結部材１１の連結平板部１１ｂは、圧着平板部１１ａおよび締結平板部１１ｃを連結している。同様に、第２締結部材１２の連結平板部１２ｂは、圧着平板部１２ａおよび締結平板部１２ｃを連結している。第１締結部材１１および第２締結部材１２は、例えば、同一のアルミニウム合金の押し出し成形品を切断した取付レール部材であり、断面形状がほぼ等しい。また、これらの断面形状において、圧着平板部と連結平板部とはほぼ直角に交わり、連結平板部と締結平板部とはほぼ直角に交わり、その結果、圧着平板部と締結平板部はほぼ平行になっている。
【００１９】
第１締結部材１１および第２締結部材１２は、締結平板部１１ｃおよび１２ｃにおいて、締結ネジ１３により締結されている。さらに、第１締結部材１１および第２締結部材１２は、それぞれの連結平板部１１ｂおよび１２ｂが規定する平面で互いに接触している。さらに、固定ネジ１４により、スピーカー１およびスピーカーバッフル２が、第１締結部材１１に取り付けられている。なお、本発明のスピーカー取付具は、開口１０ａの形状に応じて複数組使用すればよく、ここでは２組が使用されている。
【００２０】
図３は、図２の平面断面図におけるスピーカー取付具を説明する部分拡大断面図である。なお、スピーカー１およびスピーカーバッフル２は省略してある。第１締結部材１１は、圧着平板部１１ａが壁面１０の表面側へ圧着し、第２締結部材１２は、圧着平板部１２ａが壁面１０の裏面側へ圧着し、その結果、本発明のスピーカー取付具は、壁面１０に固定される。ここで、第１締結部材１１および第２締結部材１２は、それぞれ、相互に締結する締結手段が設けられる締結平板部１１ｃおよび１２ｃを備え、さらに、圧着平板部と締結平板部とを連結する連結平板部１１ｂおよび１２ｂを備えるので、締結ネジ１３を締めることで、圧着平板部１１ａおよび１２ａが壁面１０を挟み込むことができる。締結手段には、例えば、第１締結部材１１の締結平板部１１ｃには、締結ネジ１３が貫通する貫通穴が設けられ、第２締結部材１２の締結平板部１２ｃには、締結ネジ１３に対応するタップが設けられる。
【００２１】
加えて、本発明のスピーカー取付具では、第１締結部材の連結平板部１１ｂと、第２締結部材の連結平板部１２ｂとが、互いに平面１５で接触してスライドする。その結果、壁面１０の厚みに応じて圧着平板部１１ａおよび１２ａをほぼ平行の状態を保って移動させることができる。具体的には、例えば、締結ネジ１３を締めることで、圧着平板部１１ａおよび１２ａがほぼ平行に移動して圧着平板部１１ａおよび１２ａが壁面１０を圧着して挟み込むので、壁面１０にスピーカー取付具が固定される。
【００２２】
第１締結部材１１の締結平板部１１ｃは、スピーカー１あるいはスピーカーバッフル２を固定するスピーカー固定手段を備え、具体的には、スピーカー固定平板部１１ｄを連結している。スピーカー固定平板部１１ｄには、スピーカーバッフル２を貫通する固定ネジ１４に対応したタップが設けられ、スピーカー１が取り付けられたスピーカーバッフル２が固定される。断面形状において締結平板部１１ｃから突出したスピーカー固定平板部１１ｄを設けることにより、第１締結部材１１および第２締結部材１２を締結する締結ネジ１３のネジ頭部が締結平板部１１から突出していても、スピーカーバッフル２を固定することができる。なお、スピーカー固定平板部１１ｄを設けなくても、スピーカーバッフル２を固定するスピーカー固定手段を、第１締結部材１１の締結平板部１１ｃに設けてもよい。
【００２３】
また、スピーカーバッフル２には、第１締結部材のスピーカー固定手段に対応するスピーカー固定部として、固定ネジ１４が貫通する貫通穴が設けられる。スピーカーバッフル２が、スピーカー１の音響特性を確保するためのエンクロージャー３を備えている場合には、スピーカーバッフル２の幅をエンクロージャー３の幅よりも大きくして、開口１０ａの左右に取り付けられる第１締結部材に対応すればよい。スピーカー１およびスピーカーバッフル２およびエンクロージャー３が一体に組み立てられているスピーカーの場合には、スピーカーバッフルに限らず対応するスピーカー固定部が設けられていればよい。スピーカーバッフルの材料は、パーティクルボードを含む木材や、金属または樹脂の板状材料であればよい。
【００２４】
したがって、本発明のスピーカー取付具は、様々な壁面１０の開口１０ａの厚みに対応することが可能で、かつ、取付が容易になり、取付作業の負荷軽減も図ることができる。なぜなら、締結ネジ１３を締結していくにつれて、第１締結部材１１および第２締結部材１２の圧着平板部１１ａおよび１２ａが移動して壁面１０を圧着して挟み込むので、あらかじめ締結ネジ１３をゆるめて第１締結部材１１および第２締結部材１２を仮に組み立てておけば、壁面１０への取付が非常に容易になるからである。
【００２５】
さらに、本発明のスピーカー取付具は、第１締結部材１１および第２締結部材１２が、例えば、同一のアルミニウム合金の押し出し成形品を切断した取付レール部材であるので、金型費用を含めたコストを安価にすることができる。取付レール部材の材料は、アルミニウム合金に限られず、鉄、ステンレス、等の金属合金や、押出成型可能な樹脂であればよい。また、第１締結部材１１および第２締結部材１２を同一の取付レール部材を切断して得た場合には、基本的に同一の断面形状のレール部材を使用できるので、本発明のスピーカー取付具はコストを大幅に低減することができる。さらに、開口１０ａの開口寸法に対応して、同一の取付レール部材から第１締結部材１１および第２締結部材１２を切断することにより、壁面１０の厚みや開口寸法に応じた別の専用金型が必要とならないので、さらに金型費用を含めたコストを安価にすることができる。
【００２６】
さらに、本発明の壁面取付スピーカーは、そのスピーカーバッフル２に、第１締結部材１１の締結平板部１１ｃに設けられるスピーカー固定手段に対応したスピーカー固定部としての貫通穴を設けるのみなので、新たな金型を使用せずにコストを安価にすることができる。
【００２７】
なお、本発明のスピーカー取付具では、第１締結部材１１および第２締結部材１２において、圧着平板部１１ａおよび１２ａ、締結平板部１１ｃおよび１２ｃ、連結平板部１１ｂおよび１２ｂの長さならびに厚さを、壁面１０およびスピーカーバッフル２の材料並びに厚さによって適切に設定すればよい。代表的には、アルミニウム合金の押し出し成形品を切断した取付レール部材である場合には、取付レール部材の厚みを０．５〜１０．０ｍｍ、好ましくは、１．０〜５．０ｍｍとすればよい。もちろん、壁面１０の厚みに合わせて、第１締結部材１１および第２締結部材１２を異なる押出金型から成型された取付レール部材から切断して使用しても良い。第１締結部材１１および第２締結部材１２は、互いに接触する平面をもちスライドが可能な連結平板部を有していればよく、図示された形状に限られない。
【実施例２】
【００２８】
図４は、本発明の他の好ましい実施形態によるスピーカー取付具および壁面取付スピーカーについて説明する平面断面図である。壁面１０の背後には裏壁面９があり、スピーカー１およびスピーカーバッフル２は、壁面１０の開口１０ａおよび裏壁面９により規定される空間に配置される。ここで、スピーカーバッフル２には、スピーカー１の音響特性を確保するためのエンクロージャー３を備えていないが、エンクロージャー３を備えていてもよい。なお、スピーカーバッフル２にスピーカー1をあらかじめ取り付けていてもよく、スピーカーバッフル２を固定した後にスピーカー1を取り付けても良い。
【００２９】
本実施形態のスピーカー取付具の第１締結部材１１は、圧着平板部１１ａと、連結平板部１１ｂと、締結平板部１１ｃとを備え、同様に、第２締結部材１２は、圧着平板部１２ａと、連結平板部１２ｂと、締結平板部１２ｃとを備えている。スピーカー１およびスピーカーバッフル２を壁面１０に取り付ける場合に、第１締結部材１１と第２締結部材１２を締結する締結ネジ１３が、さらに、第１締結部材１１およびスピーカーバッフル２を締結している。すなわち、本発明のスピーカー取付具は、第１締結部材１１および第２締結部材１２の締結手段が、スピーカー固定手段を兼用し、その結果、スピーカー取付具の締結ネジ１３を締結すると、同時に、スピーカー1およびスピーカーバッフル２を固定することができる。したがって、取付作業の効率を向上させることができる。
【産業上の利用可能性】
【００３０】
壁面等に音声を再生するためのスピーカーを取り付ける場合は、壁面への取付作業が容易で、かつ、様々な壁面等の厚みや開口の開口寸法に対応が可能になる。さらに、金型費用を含めたコストが安価であるので、ビルや、住居等の壁面に取り付けるスピーカーのコストを削減することができる。本発明の取付具は、スピーカーに限らず、比較的大きな開口が設けられた壁面等に、パネル状の電子機器、例えば、プラズマディスプレイや、スクリーンや、照明器具等を埋め込むように取り付ける場合にも使用可能である。
【図面の簡単な説明】
【００３１】
【図１】本発明のスピーカー取付具および壁面取付スピーカーについて説明する正面図である。（実施例１）
【図２】本発明のスピーカー取付具および壁面取付スピーカーについて説明する平面断面図である。（実施例１）
【図３】本発明のスピーカー取付具についてについて説明する部分拡大断面図である。（実施例１）
【図４】本発明の他のスピーカー取付具および壁面取付スピーカーについて説明する平面断面図である。（実施例２）
【符号の説明】
【００３２】
１            スピーカー
２            スピーカーバッフル
３            エンクロージャー
９            裏壁面
１０          壁面
１０ａ        開口
１１          第１締結部材
１１ａ        圧着平板部
１１ｂ        連結平板部
１１ｃ        締結平板部
１２          第２締結部材
１２ａ        圧着平板部
１２ｂ        連結平板部
１２ｃ        締結平板部
１３          締結ネジ
１４          固定ネジ
１５          平面
【図１】
2005080002.tif 000003
【図２】
2005080002.tif 000004
【図３】
2005080002.tif 000005
【図４】
2005080002.tif 000006